(57)【特許請求の範囲】
【請求項１】
外周面を金属製の結束バンドで締め付けられた金属帯コイルの表面全体を梱包紙により被包し、
前記梱包紙の上から前記金属帯コイルの外周面に金属製のコイル保護板を巻き付けた後、該コイル保護板を金属製の締付バンドにより前記金属帯コイルの外周面に締付固定するとともに、
前記金属帯コイルの外周面両端部に金属製の一対のコイル保護リングの各々を被せ、該一対のコイル保護リングの外周面を金属製の一対の締付バンドの各々により前記金属帯コイルの外周面に締付固定して、前記金属帯コイルを梱包する方法であって、
前記金属帯コイルの外周面両端部の一対の保護リングの外周面を締付固定する一対の締付バンド間であって、前記結束バンドと、前記コイル保護板を前記金属帯コイルの外周面に締付固定する締付バンドとが重なり合わない位置で、
前記コイル保護板を、前記コイル保護板を前記金属帯コイルの外周面に締付固定する締付バンドにより前記金属帯コイルの外周面に締付固定して前記金属帯コイルを梱包することを特徴とする金属帯コイルの梱包方法。
【請求項２】
請求項１に記載の金属帯コイルの梱包方法において、前記結束バンドと前記コイル保護板を前記金属帯コイルの外周面に締付固定する締付バンドとのバンド間隔を前記結束バンドのバンド幅で除した値が零以上となる位置で前記コイル保護板を、前記コイル保護板を前記金属帯コイルの外周面に締付固定する締付バンドにより前記金属帯コイルの外周面に締付固定することを特徴とする金属帯コイルの梱包方法。
【請求項３】
外周面を金属製の結束バンドで締め付けられた金属帯コイルと、該金属帯コイルの表面全体を被包する梱包紙を備えた金属帯コイル梱包体であって、
前記梱包紙により被包された前記金属帯コイルの外周面を被覆する金属製のコイル保護板と、該コイル保護板を前記金属帯コイルの外周面に締付固定する金属製の締付バンドと、前記金属帯コイルの外周面両端部に各々被せられた一対の金属製のコイル保護リングと、該一対のコイル保護リングの外周面を前記金属帯コイルの外周面に各々締付固定する一対の金属製の締付バンドと、をさらに備え、
前記コイル保護板は、前記金属帯コイルの外周面両端部の一対の保護リングの外周面を締付固定する一対の締付バンド間であって、前記結束バンドと、前記コイル保護板を前記金属帯コイルの外周面に締付固定する締付バンドとが重なり合わない位置で、前記コイル保護板を前記金属帯コイルの外周面に締付固定する締付バンドにより前記金属帯コイルの外周面に締付固定されていることを特徴とする金属帯コイル梱包体。
【請求項４】
請求項３に記載の金属帯コイル梱包体において、前記結束バンドと前記コイル保護板を前記金属帯コイルの外周面に締付固定する締付バンドとのバンド間隔を前記結束バンドのバンド幅で除した値が零以上となる位置で前記コイル保護板を、前記コイル保護板を前記金属帯コイルの外周面に締付固定する締付バンドにより前記金属帯コイルの外周面に締付固定したことを特徴とする金属帯コイル梱包体。
【発明の詳細な説明】
【技術分野】
【０００１】
本発明は、巻取り機でコイル状に巻き取られた鋼帯などの金属帯コイルを製品として出荷する際に用いられる金属帯コイルの梱包方法と金属帯コイル梱包体に関するものである。
【背景技術】
【０００２】
一般に、巻取り機でコイル状に巻き取られた鋼帯は、鋼帯コイルあるいは鋼ストリップコイルと呼ばれている。そして、この鋼帯コイルをクレーンなどによって台車やコンベアの上に載せて搬送する場合には、鋼帯コイルの巻きが搬送中に緩んだりするのを防止するために、特許文献１〜４に開示された金属製の結束バンドで鋼帯コイルの外周面を締め付けてから鋼帯コイルの搬送を行なっている。
また、結束バンドによって外周面が締め付けられた鋼帯コイルを製品として出荷したりする場合には、鋼帯コイルを防錆紙により被包して鋼帯コイルの表面に錆が発生することを防止している（例えば、特許文献５参照）。
【先行技術文献】
【特許文献】
【０００３】
【特許文献１】特開平０７−２８６９１７号公報
【特許文献２】特開平１１−１８９８２８号公報
【特許文献３】特開平０７−１０１５４３号公報
【特許文献４】特開昭６０−２３１０８号公報
【特許文献５】特開平０５−２７８７６９号公報
【発明の概要】
【発明が解決しようとする課題】
【０００４】
しかしながら、鋼帯コイルの出荷先が海外の場合には、クレーンやフォークリフトを利用した鋼帯コイルの積み降ろし作業が何回も行なわれるため、鋼帯コイルを防錆紙で梱包しただけでは製品品質を低下させる損傷が鋼帯コイルの表面に発生しやすいという問題があった。
本発明は、上述した問題点に鑑みてなされたものであって、製品品質を低下させる損傷が鋼帯コイルの表面に発生することを防止することのできる金属帯コイルの梱包方法と金属帯コイル梱包体を提供することを目的とするものである。
【課題を解決するための手段】
【０００５】
上記課題を解決するために、請求項１に係る本発明は、外周面を金属製の結束バンドで締め付けられた金属帯コイルの表面全体を梱包紙により被包し、前記梱包紙の上から前記金属帯コイルの外周面に金属製のコイル保護板を巻き付けた後、該コイル保護板を金属製の締付バンドにより前記金属帯コイルの外周面に締付固定するとともに、前記金属帯コイルの外周面両端部に金属製の一対のコイル保護リングの各々を被せ、該一対のコイル保護リングの外周面を金属製の一対の締付バンドの各々により前記金属帯コイルの外周面に締付固定して、前記金属帯コイルを梱包する方法であって、前記金属帯コイルの外周面両端部の一対の保護リングの外周面を締付固定する一対の締付バンド間であって、前記結束バンドと、前記コイル保護板を前記金属帯コイルの外周面に締付固定する締付バンドとが重なり合わない位置で、前記コイル保護板を、前記コイル保護板を前記金属帯コイルの外周面に締付固定する締付バンドにより前記金属帯コイルの外周面に締付固定して前記金属帯コイルを梱包することを特徴とする。
請求項２に係る本発明は、請求項１に記載の金属帯コイルの梱包方法において、前記結束バンドと前記コイル保護板を前記金属帯コイルの外周面に締付固定する締付バンドとのバンド間隔を前記結束バンドのバンド幅で除した値が零以上となる位置で前記コイル保護板を、前記コイル保護板を前記金属帯コイルの外周面に締付固定する締付バンドにより前記金属帯コイルの外周面に締付固定することを特徴とする。
【０００６】
請求項３に係る本発明は、外周面を金属製の結束バンドで締め付けられた金属帯コイルと、該金属帯コイルの表面全体を被包する梱包紙を備えた金属帯コイル梱包体であって、前記梱包紙により被包された前記金属帯コイルの外周面を被覆する金属製のコイル保護板と、該コイル保護板を前記金属帯コイルの外周面に締付固定する金属製の締付バンドと、前記金属帯コイルの外周面両端部に各々被せられた一対の金属製のコイル保護リングと、該一対のコイル保護リングの外周面を前記金属帯コイルの外周面に各々締付固定する一対の金属製の締付バンドと、をさらに備え、前記コイル保護板は、前記金属帯コイルの外周面両端部の一対の保護リングの外周面を締付固定する一対の締付バンド間であって、前記結束バンドと、前記コイル保護板を前記金属帯コイルの外周面に締付固定する締付バンドとが重なり合わない位置で、前記コイル保護板を前記金属帯コイルの外周面に締付固定する締付バンドにより前記金属帯コイルの外周面に締付固定されていることを特徴とする。
請求項４に係る本発明は、請求項３に記載の金属帯コイル梱包体において、前記結束バンドと前記コイル保護板を前記金属帯コイルの外周面に締付固定する締付バンドとのバンド間隔を前記結束バンドのバンド幅で除した値が零以上となる位置で前記コイル保護板を、前記コイル保護板を前記金属帯コイルの外周面に締付固定する締付バンドにより前記金属帯コイルの外周面に締付固定したことを特徴とする。
【発明の効果】
【０００７】
本発明によると、梱包紙の上から金属帯コイルの外周面に巻き付けられた金属製のコイル保護板によって金属帯コイルの外周面が衝撃力から保護される。従って、製品品質を低下させる損傷が金属帯コイルの外周面に発生することを防止することができる。また、締付バンドの上に重量物が落下しても重量物の重量が結束バンドの表面に直接的に加わることがないので、結束バンドによる押疵が金属帯コイルの外周面に発生することを防止することができる。
【図面の簡単な説明】
【０００８】
【図１】金属帯コイルの一例を示す図である。
【図２】金属帯コイルを梱包紙で被包した状態を示す図である。
【図３】金属帯コイルの外周面と側面を梱包紙の上から緩衝体で被覆した状態を示す図である。
【図４】金属帯コイルの外周面を金属製のコイル保護板で緩衝体の上から被覆した状態を示す図である。
【図５】コイル保護板を締付バンドで金属帯コイルの外周面に締め付けた状態を示す図である。
【図６】金属帯コイルの側面を衝撃力から保護するコイル保護板を金属帯コイルの両側面に設けた状態を示す図である。
【図７】金属帯コイルの外周側角部を衝撃力から保護するコイル保護リングを金属帯コイルの外周面両端部に装着した状態を示す図である。
【図８】金属帯コイルの内周側角部を衝撃力から保護するコイル保護リングを金属帯コイル１１の内周部に挿入した状態を示す図である。
【図９】金属帯コイルの角部を衝撃力から保護するコイル保護リングと金属帯コイルの側面を衝撃力から保護するコイル保護板を複数本の締付バンドにより金属帯コイルの側面に締め付けた状態を示す図である。
【図１０】本発明の一実施形態に係る金属帯コイル梱包体を示す斜視図である。
【図１１】本発明の一実施形態に係る金属帯コイル梱包体を示す断面図である。
【図１２】結束バンドと締付バンドが重なり合う位置でコイル保護板を金属帯コイルの外周面に締め付けた状態を示す図である。
【図１３】結束バンドと締付バンドが重なり合わない位置でコイル保護板を金属帯コイルの外周面に締め付けた状態を示す図である。
【図１４】結束バンドと締付バンドとのバンド間隔を結束バンドのバンド幅で除した値と結束バンドによる押疵の発生割合との関係を調査した結果を示す図である。
【発明を実施するための形態】
【０００９】
以下、図１〜図１４を参照して本発明の一実施形態について説明する。
金属帯コイルの一例を図１に示す。図１中符号１１は例えば板厚０．２〜４．５ｍｍ、外径６００〜２０００ｍｍ、コイル幅７００〜１９００ｍｍの金属帯コイルであって、この金属帯コイル１１の外周面中央部は、例えば厚さ０．７ｍｍ、幅３２ｍｍ程度の金属製の結束バンド１２によって締め付けられている。
【００１０】
このような金属帯コイル１１を製品として海外などに出荷するときには、まず、図２に示すように、金属帯コイル１１の表面全体を梱包紙（防錆紙）１３で被包する。次に、図３に示すように、金属帯コイル１１の外周面と側面を例えば厚さ０．９ｍｍ程度のダンボール紙からなる緩衝体１４によって梱包紙１３の上から被覆する。
金属帯コイル１１の外周面と側面を緩衝体１４で被覆したならば、次に、図４に示すように、例えば厚さ０．５ｍｍ程度の金属製のコイル保護板１５を緩衝体１４の上から金属帯コイル１１の外周面に巻き付け、金属帯コイル１１の外周面をコイル保護板１５で被覆する。
【００１１】
金属帯コイル１１の外周面をコイル保護板１５で被覆したならば、コイル保護板１５の端部同士を接着剤やスポット溶接などによって接合した後、図５に示すように、例えば厚さ０．７ｍｍ、幅３２ｍｍ程度の金属製の締付バンド１６を結束バンド１２と重なり合わないようにコイル保護板１５の表面に金属帯コイル１１の全周にわたって巻き付ける。そして、締付バンド１６によってコイル保護板１５を、締付バンド１６が結束バンド１２と重なり合わない位置で金属帯コイル１１の外周面に締付固定する。
【００１２】
締付バンド１６によりコイル保護板１５を金属帯コイル１１の外周面に締付固定したならば、図６に示すように、金属帯コイル１１の側面を衝撃力から保護する金属製のコイル保護板２０ａ，２０ｂを金属帯コイル１１の側面に設置する。次に、図７に示すように、金属帯コイル１１の外周側角部を衝撃力から保護する金属製のコイル保護リング１７ａ，１７ｂを金属帯コイル１１の外周面両端部に被せ、コイル保護リング１７ａ，１７ｂの外周面を金属製の締付バンド１８ａ，１８ｂにより金属帯コイル１１の外周面に締付固定する。
【００１３】
締付バンド１８ａ，１８ｂによりコイル保護リング１７ａ，１７ｂの外周面を金属帯コイル１１の外周面に締付固定したならば、次に、図８に示すように、金属帯コイル１１の内周側角部を衝撃力から保護する金属製のコイル保護リング１９ａ，１９ｂを金属帯コイル１１の内周部に挿入する。
コイル保護リング１９ａ，１９ｂを金属帯コイル１１の内周部に挿入したならば、図９に示すように、金属からなる複数本（例えば６本）の締付バンド２１によってコイル保護リング１９ａ，１９ｂとコイル保護板２０ａ，２０ｂを金属帯コイル１１の側面に締付固定する。
【００１４】
図１０は本発明の一実施形態に係る金属帯コイル梱包体を示す斜視図、図１１は本発明の一実施形態に係る金属帯コイル梱包体を示す断面図であり、本発明の一実施形態に係る金属帯コイル梱包体は、金属帯コイル１１、結束バンド１２、梱包紙１３、緩衝体１４、コイル保護板１５、締付バンド１６、コイル保護リング１７ａ，１７ｂ、締付バンド１８ａ，１８ｂ、コイル保護リング１９ａ，１９ｂ、コイル保護板２０ａ，２０ｂおよび締付バンド２１ａ，２１ｂ，２１ｃ，２１ｄ，２１ｅ，２１ｆを備えて構成されている。
【００１５】
結束バンド１２は梱包対象物である金属帯コイル１１の外周面を締め付けるものであって、鋼などの金属から形成されている。また、この結束バンド１２は例えば０．７ｍｍ程度の厚さと３２ｍｍ程度の幅を有し、金属帯コイル１１の外周面中央部に巻き付けられている。
梱包紙１３は金属帯コイル１１の表面に錆が発生したり塵埃が付着したりするのを防止するためのものであって、金属帯コイル１１の表面全体は梱包紙１３によって被包されている。
【００１６】
緩衝体１４は金属帯コイル１１の外周面や側面に加わる衝撃力を緩衝するものであって、例えば厚さ０．９ｍｍ程度のダンボール紙などから形成されている。また、この緩衝体１４は金属帯コイル１１の外周面と側面を梱包紙１３の上から被覆している。
コイル保護板１５は金属帯コイル１１の外周面を衝撃力から保護するものであって、鋼などの金属から形成されている。また、このコイル保護板１５は例えば０．５ｍｍ程度の厚さを有し、緩衝体１４の上から金属帯コイル１１の外周面に巻き付けられている。さらに、コイル保護板１５は金属帯コイル１１のコイル幅が７００ｍｍである場合、例えば７００ｍｍ程度の板幅を有している。
【００１７】
締付バンド１６はコイル保護板１５を金属帯コイル１１の外周面に締付固定するためのものであって、鋼などの金属から形成されている。また、この締付バンド１６は例えば０．７ｍｍ程度の厚さと３２ｍｍ程度の幅を有し、結束バンド１２と重なり合わない位置でコイル保護板１５を金属帯コイル１１の外周面に締付固定している。
コイル保護リング１７ａ，１７ｂは金属帯コイル１１の外周側角部を衝撃力から保護するものであって、鋼などの金属から形成されている。また、これらのコイル保護リング１７ａ，１７ｂは金属帯コイル１１の外周面と嵌合する円筒部１７１を有し、この円筒部１７１の長さは例えば１００ｍｍ程度となっている。さらに、コイル保護リング１７ａ，１７ｂは円環状の端板部１７２を有し、この端板部１７２は円筒部１７１の内周面端部に形成されている。
【００１８】
締付バンド１８ａ，１８ｂはコイル保護リング１７ａ，１７ｂの円筒部１７１を金属帯コイル１１の外周面に締付固定するものであって、鋼などの金属から形成されている。また、これらの締付バンド１８ａ，１８ｂは例えば０．７ｍｍ程度の厚さを有し、コイル保護リング１７ａ，１７ｂの外周面に巻き付けられている。
コイル保護リング１９ａ，１９ｂは金属帯コイル１１の内周側角部を衝撃力から保護するものであって、鋼などの金属から形成されている。また、これらのコイル保護リング１９ａ，１９ｂは金属帯コイル１１の内周面と嵌合する円筒部１９１を有し、この円筒部１９１の長さは例えば１００ｍｍ程度となっている。さらに、コイル保護リング１９ａ，１９ｂは円環状の端板部１９２を有し、この端板部１９２は円筒部１９１の外周面端部に形成されている。
【００１９】
コイル保護板２０ａ，２０ｂは金属帯コイル１１の側面を衝撃力から保護するものであって、円環状に形成されている。また、これらのコイル保護板２０ａ，２０ｂは鋼などの金属からなる。
締付バンド２１ａ〜２１ｆはコイル保護リング１７ａ，１７ｂ、コイル保護リング１９ａ，１９ｂおよびコイル保護板２０ａ，２０ｂを金属帯コイル１１の側面に締付固定するものであって、鋼などの金属から形成されている。
締付バンド１６が結束バンド１２と重なり合う位置でコイル保護板１５を金属帯コイル１１の外周面に締め付けた状態を図１２に示すとともに、締付バンド１６が結束バンド１２と重なり合わない位置でコイル保護板１５を金属帯コイル１１の外周面に締め付けた状態を図１３に示す。
【００２０】
図１２に示す状態では、締付バンド１６が結束バンド１２と重なり合っているため、締付バンド１６の上に重量物２２が落下すると、重量物２２の重量が結束バンド１２の表面に加わり、結束バンド１２の表面に加わった重量物２２の重量によって金属帯コイル１１の外周面に押疵が発生しやすい。例えば、結束バンド１２のバンド幅をＷ、締付バンド１６のバンド幅をＷ、重量物２２の重量をＰとすると、締付バンド１６の表面には、σ１＝Ｐ／Ｗで表される応力（ここでは、単位バンド幅当たりの重量を示す）が加わる。そして、結束バンド１２の表面には、σ１＝Ｐ／Ｗで表される応力が加わり、この応力σ１によって金属帯コイル１１の外周面に押疵が発生する。
【００２１】
一方、図１３に示す状態では、締付バンド１６が結束バンド１２と重なり合っていないため、締付バンド１６の上に重量物２２が落下しても重量物２２の重量Ｐが結束バンド１２の表面に直接的に作用することがないので、結束バンド１２による押疵が金属帯コイル１１の外周面に発生することを防止することができる。例えば、結束バンド１２のバンド幅をＷ、重量物２２の重量をＰ、コイル保護板１５と重量物２２との接触幅をＳ（＞Ｗ）とすると、コイル保護板１５の表面には、σ２＝Ｐ／Ｓで表される応力（ここでは、単位接触幅当たりの重量を示す）が加わる。そして、結束バンド１２の表面には、σ２＝Ｐ／Ｓで表される応力が加わり、このときの応力σ２は前記した応力σ１よりも小さい値となるので、結束バンド１２による押疵が金属帯コイル１１の外周面に発生することを防止することができる。
【００２２】
上述のように、梱包紙１３の上から金属帯コイル１１の外周面に金属製のコイル保護板１５を巻き付け、このコイル保護板１５を締付バンド１６で金属帯コイル１１の外周面に締付固定すると、コイル保護板１５によって金属帯コイル１１の外周面を衝撃力から保護することができる。従って、製品品質を低下させる損傷が金属帯コイル１１の外周面に発生することを防止することができる。
【００２３】
また、結束バンド１２と締付バンド１６が重なり合わない位置でコイル保護板１５を金属帯コイル１１の外周面に締付固定すると、締付バンド１６の上に重量物２２が落下しても重量物２２の重量が結束バンド１２の表面に直接的に作用することがないので、結束バンド１２による押疵が金属帯コイル１１の外周面に発生することを防止することができる。
【００２４】
結束バンド１２と締付バンド１６とのバンド間隔を結束バンド１２のバンド幅で除した値と結束バンド１２による押疵の発生割合との関係を調査した結果を図１４に示す。
図１３に示すバンド間隔δ（結束バンド１２と締付バンド１６とのバンド間隔）を結束バンド１２のバンド幅Ｗで除した値（δ／Ｗ）が零より小さい値となる位置でコイル保護板１５を締付バンド１６により金属帯コイル１１の外周面に締め付けると、結束バンド１２による押疵の発生割合が高くなることが図１４に示す調査結果からわかる。
また、結束バンド１２と締付バンド１６とのバンド間隔δを結束バンド１２のバンド幅Ｗで除した値（δ／Ｗ）が零以上となる位置でコイル保護板１５を締付バンド１６により金属帯コイル１１の外周面に締め付けると、結束バンド１２による押疵の発生割合が急激に減少することが図１４に示す調査結果からわかる。
【００２５】
従って、結束バンド１２と締付バンド１６とのバンド間隔δを結束バンド１２のバンド幅Ｗで除した値が零以上となる位置でコイル保護板１５を締付バンド１６により金属帯コイル１１の外周面に締め付けることにより、結束バンド１２による押疵が金属帯コイル１１の外周面に発生することを防止することができる。なお、結束バンド１２と締付バンド１６とのバンド間隔を結束バンド１２のバンド幅で除した値が零以上となる位置でコイル保護板１５を締付バンド１６により金属帯コイル１１の外周面に締め付ける場合には、締付バンド１６の位置が金属帯コイル１１の両端から外れない範囲でコイル保護板１５を締付バンド１６により金属帯コイル１１の外周面に締め付ける。
【００２６】
上述した本発明の一実施形態では、金属帯コイル１１の外周面と側面を緩衝体１４により梱包紙１３の上から被覆した後、金属帯コイル１１の外周面に金属製のコイル保護板１５を巻き付けるようにしたが、梱包紙１３の上から金属帯コイル１１の外周面にコイル保護板１５を直接巻き付けてもよい。
また、上述した本発明の一実施形態では、金属帯コイル１１の外周面をコイル保護板１５により被覆した後、金属帯コイル１１の両側面をコイル保護リング１７ａ，１７ｂ、コイル保護リング１９ａ，１９ｂおよびコイル保護板２０ａ，２０ｂで被覆するようにしたが、金属帯コイル１１の両側面をコイル保護リング１７ａ，１７ｂ、コイル保護リング１９ａ，１９ｂおよびコイル保護板２０ａ，２０ｂで被覆した後、金属帯コイル１１の外周面にコイル保護板１５を巻き付けてもよい。
【符号の説明】
【００２７】
１１…金属帯コイル
１２…結束バンド
１３…梱包紙
１４…緩衝体
１５…コイル保護板
１６…締付バンド
１７ａ，１７ｂ…コイル保護リング
１８ａ，１８ｂ…締付バンド
１９ａ，１９ｂ…コイル保護リング
２０ａ，２０ｂ…コイル保護板
２１，２１ａ〜２０ｆ…締付バンド
２２…重量物
【図１】
0005672025.tif 000002
【図２】
0005672025.tif 000003
【図３】
0005672025.tif 000004
【図４】
0005672025.tif 000005
【図５】
0005672025.tif 000006
【図６】
0005672025.tif 000007
【図７】
0005672025.tif 000008
【図８】
0005672025.tif 000009
【図９】
0005672025.tif 000010
【図１０】
0005672025.tif 000011
【図１１】
0005672025.tif 000012
【図１２】
0005672025.tif 000013
【図１３】
0005672025.tif 000014
【図１４】
0005672025.tif 000015